Podtech/llm-jp-corpus-v4-ja_patent huggingface dataset:
(57)【要約】      （修正有）【課題】ペール缶等の容器に２種類以上の製品を同梱する為の冶具を提供する。【解決手段】ペール缶３を一枚から成る板状の冶具１を用いて仕切り、下部に位置するものを上下前後の４面で囲う事で上部の加重から保護する。仕切冶具に口金挿入部と挿入口金係止部を刻設して、口金付き袋体２への充填作業を容易にし、更には仕切冶具１に吊り上げ口を設ける事によりペール缶３への出し入れも容易である。【選択図】図５
0003167490.tif 000002
【実用新案登録請求の範囲】
【請求項１】
１枚から成る仕切板本体の一端側に刻設した嵌め合いメス部と、前記仕切板本体の他端側に突設し、前記嵌め合いメス部に嵌合する嵌め合いオス部と、前記仕切板本体の中途に間隔を有して刻設した一対の吊り上げ口と、前記一対の吊り上げ口の間に刻設した口金挿入部と、同口金挿入部に連通した挿入口金係止部とからなることを特徴とする仕切冶具。
【請求項２】
上記仕切冶具の挿入口金係止部に液体充填袋の口金部を挿入固定したことを特徴とする請求項１に記載の仕切冶具。
【考案の詳細な説明】
【技術分野】
【０００１】  本考案は一個以上の袋体を１個の容器に収納する時の保護冶具に関する。
更に詳しくは、本考案は複数の原材料を一個の容器に収納する際、互いの重量が互いを圧迫せずに保護する為の仕切冶具に関するものである。
【背景技術】
【０００２】  従来、異なる材料を混合して使用する場合、それぞれの材料は混合されるまでは反応しない様に個別に充填され梱包されており、取扱いも注意を払われる。特に施工等に用いられる材料で、液体の溶剤と主体の粉体は一つの容器に同梱される事は少ない。従来から使用されている熱可塑性樹脂製の袋と段ボールを組み合せたバッグインボックスはあるが、これをそのまま他の容器に同梱する事は段ボールの形状や強度の点で実用化されていなかった。
【考案の概要】
【考案が解決しようとする課題】
【０００３】  本考案は、ペール缶などにおいて、２種類以上の同梱の際に、仕切冶具を用いる事で容易に充填作業が出来、更にペール缶等の中に重ねて詰めても下部の物が潰されない様に保護する事を目的とした、強度があり組み立てが容易な仕切冶具ある。
【課題を解決するための手段】
【０００４】  本考案は、１枚から成る仕切板本体の一端側に刻設した嵌め合いメス部と、前記仕切板本体の他端側に突設し、前記嵌め合いメス部に嵌合する嵌め合いオス部と、前記仕切板本体の中途に間隔を有して刻設した一対の吊り上げ口と、前記一対の吊り上げ口の間に刻設した口金挿入部と、同口金挿入部に連通した挿入口金係止部とからなることを特徴とする仕切冶具で、仕切冶具の挿入口金係止部に液体充填袋の口金部を挿入固定する仕切冶具である。  本考案は、かかる知見に基づいて完成したもので、本考案１は、口金挿入部に連通した挿入口金係止部で固定された状態の口金付き袋体を両側面上部に刻設した吊り上げ口を両手で抱えてペール缶等に納める事が出来る。その後、口金挿入部に連通した挿入口金係止部で固定された状態の口金付き袋体を挿入口金係止部からスライドさせて仕切冶具の内側に落とこみ、仕切冶具の天井部に別の重量物を置く事が出来る。更に仕切冶具の高さと口金挿入部に刻設した挿入口金係止部を増やす事で２種類以上の口金付き袋体をセットする事も出来る。
【考案の効果】
【０００５】  すなわち、本考案は
（１）口金付き袋体の充填作業を容易にした。
（２）充填後の口金付き袋体を容易に移動してペール缶等に詰め込み作業も容易にした。
（３）異なる材料を混合する際に容器として使用するペール缶等に２種類以上の形態の異なる物を同梱出来る様にした。
【図面の簡単な説明】
【０００６】
【図１】本考案に係る１枚から成る仕切板本体の平面展開図である。
【図２】本考案に係る仕切冶具を組み立てて状況を示した側面図である。
【図３】本考案に係る仕切冶具を組み立てて状況を示した前面図である。
【図４】本考案に係る仕切冶具の口金挿入部と挿入口金係止部の刻設状況を示す図１のＡ部拡大図である。
【図５】本考案に係る仕切冶具を使用し、ペール缶内に口金付き袋体を同梱時の状況示した縦側断図である。
【考案を実施するための形態】
【０００７】  本考案の仕切冶具は、ペール缶に適用するのが好ましく、したがって、一般に容量は２０リットル程度の容器に適している。仕切冶具の材料としては軽量で強度があり、加工が容易な物が好ましい。例えばポリエチレン、ポリプロピレン、ポリスチレン等の汎用の熱可塑性樹脂が使用される。
【実施例】
【０００８】  本考案に係る一実施例につき、図を参照して以下説明する。仕切冶具１はペール缶３のサイズにより異なるが、仕切冶具１の材料が熱可塑性樹脂等である場合、熱可塑性樹脂の厚さは口金５の側面のリブによる溝に収まる厚みを考慮した。口金挿入部１ｄと、口金挿入部１ｄに連接刻設した挿入口金係止部１ｅであるが、円形と多角形の形を組み合せて作った打ち抜きの形状である。口金挿入部１ｄの円形の直径は口金付き袋体２の口金５の挿入作業性の容易さと仕切冶具１の天井部の強度を維持する程度の大きさが好ましい。又、口金５には図示省略の段ボール箱と供に使用する事を想定して、口金５を段ボール箱に係止させる目的で２段のリブを設けている場合が殆どである。この場合、充填時にダンボール箱の外に口金５が出ている状態を保持する為に金属製の二股に分かれた器具を用いている。本考案は上記した器具を用いる事無く、仕切冶具１に挿入口金係止部１ｅを連通する事で作業性が向上する事を考案した。また、円形と組み合せて挿入口金係止部１ｅを連通する為の多角形であるが、本実施例では、口金付き袋体２を挿入口金係止部１ｅに挿入してスライドして係止する為に８角形を採用した。８角形の１辺とその１辺に隣接する他の２辺の一部を均等に残して円形に打ち抜くと残された部分が爪状に成り、挿入口金係止部１ｅを形成した。
【産業上の利用可能性】
【０００９】  本考案によれば、２種類以上の原材料を混合して使用する物は、原材料を混ぜ合わせる為の容器と其々の原材料を一つに梱包するのが効率的であるが、適量にセットされてない場合が多い。小分けされた量を必要な数だけ使用する事で、無駄に廃棄される事を防止する。その結果、充填時における作業性の向上と、商品梱包の簡素化、販売における利便性等、トータルコストダウンに寄与出来る。更に例として、災害地等の災害援助に食料を送る場合、水と米を同梱して輸送する事も可能であり、ペール缶はバケツとして使用出来る。
【符号の説明】
【００１０】  １  仕切冶具
１ａ  嵌め合いメス部
１ｂ  嵌め合いオス部
１ｃ  吊り上げ口
１ｄ  口金挿入部
１ｅ  挿入口金係止部
２  口金付き袋体
３  ペール缶
４  同梱品
５  口金
【図１】
0003167490.tif 000003
【図２】
0003167490.tif 000004
【図３】
0003167490.tif 000005
【図４】
0003167490.tif 000006
【図５】
0003167490.tif 000007
(57)【要約】      （修正有）【課題】鴨居に掛けられた物干しが落下しにくい物干し掛け具を提供する。【解決手段】一定の長さの鉄製もしくはステンレス製等の針金の中央部をＵ字形に折り曲げ、それをさらに曲げ進めることにより、その針金の両端を交叉させて、物掛け部１を形成し、その針金の両先端を相対向するように、各内側に折り曲げ、一対の掛止部２を形成した。これにより、物掛け部１が、そこに掛けられる物干し器具の持ち手の移動を止める形となるので、その持ち手が、外部からの衝撃を受けた場合、スライドして掛止部２に衝突することを防止する。【選択図】図１
0003167484.tif 000002
【実用新案登録請求の範囲】
【請求項１】
（イ）  一本の鉄製もしくはステンレス製等の針金の中央部をＵ字形に折り曲げ、それをさらに曲げ進めることにより、その針金の両端を交叉させて、物掛け部（１）を形成した。
（ロ）  その針金の両先端を相対向するように、各内側に折り曲げ、一対の掛止部（２）を形成した。
以上の如く構成された、独立した物掛け部を有する物干し掛け具。
【考案の詳細な説明】
【技術分野】
【０００１】  この考案は、物干し掛け具の下方に、独立した物掛け部を設けた、主に鴨居用に用いられる物干し掛け具に関するものである。
【背景技術】
【０００２】  従来の鴨居用の物干し掛け具は、鉄製もしくはステンレス製のＵ字形に曲げられた針金もしくは平板の両端を単に各内側に折り曲げて簡易に作られているか、さもなければ、プラスチック成型等により、かなり複雑な構造の製品が作られていた。
【考案の概要】
【考案が解決しようとする課題】
【０００３】  鉄製もしくはステンレス製等の簡易構造の製品は、そこに掛けられた物干し器具に、それを少し大きく動かすような衝撃力が仮に右から左方向に働くと、その物干し器具の持ち手部分が物干し掛け具の上をすべって、本考案の掛止部（２）に相当する左側の折り曲げられた部分を鴨居から外してしまうという欠点があった。
プラスチック成型等の複雑な構造の製品は、その構造故、片手での取り付け取り外しが容易にできないという欠点があった。
本考案は、以上のような欠点を除くためになされたものである。
【課題を解決するための手段】
【０００４】（イ）  一本の鉄製もしくはステンレス製等の針金の中央部をＵ字形に折り曲げ、それをさらに曲げ進めることにより、その針金の両端を交叉させて、物掛け部（１）を形成した。
（ロ）  その針金の両先端を相対向するように、各内側に折り曲げ、一対の掛止部（２）を形成した。
本考案は、以上のような構成よりなる独立した物掛け部を有する物干し掛け具である。
【考案の効果】
【０００５】（イ）  物干し器具に洗濯物を干した後、それに対して、仮に右から左に衝撃力が加えられた場合、掛止部（２）の右側の部分が壁面あるいは鴨居に当たり、本案物干し掛け具が、鴨居から外れるのを防ぐ。
（ロ）  そして、物干し器具の持ち手は、物掛け部（１）に固定された状態なので、それが左方向にすべって、左側の掛止部（２）を直撃し、それを鴨居から外してしまう作用に及ぶことも無い。
（ハ）  つまり、本案物干し掛け具の物掛け部（１）は、物干し器具の持ち手が、外部からの衝撃により、スライドしてしまうのを防止する役割をしているのである。
（ニ）  本案の製品は、物掛け部（１）の下部に片手の掌を当て、二本の掛止部（２）の間に、その片手の４本の指を差し込む形で強く握れば、二本の掛止部（２）の間隔を広げることができるので、片手で容易に鴨居に取り付けることができる。しかも、針金だけを使用してでも作成できるので、製造コストは、従来品の複雑な構造のものに比べ、大幅に低減できる。
（ホ）  このように、本案の製品は、従来製品の持つ各々の欠点を、本案１製
品で同時に解決している。
【考案を実施するための最良の形態】
【０００６】  以下、本考案を実施するための最良の形態について説明する。
（イ）  一本の鉄製もしくはステンレス製等の針金の中央部をＵ字形に折り曲げ、それをさらに曲げ進めることにより、その針金の両端を交叉させて、物掛け部（１）を形成した。
（ロ）  その針金の両先端を相対向するように、各内側に折り曲げ、一対の掛止部（２）を形成した。
本考案は以上のような構造であるから、これを使用するときは、
（ハ）  掛止部（２）の両端を少し広げるようにして鴨居に掛ける。両端は、針金の弾性により、元に戻る形で、鴨居の上部の壁面を挟むことになる。よって、その掛止部（２）の両先端は、鴨居の上部に乗った形となる。
（ニ）  この状態の本案物干し掛け具の物掛け部（１）に、洗濯物を干すための物干し器具の持ち手を引っ掛けて吊るし、それに洗濯物を干す。
（ヘ）  以上により、物干し器具の持ち手は、本案物干し掛け具の物掛け部（１）に固定された形になるので、物干し器具に対し外部からの衝撃があっても、その持ち手がスライドして掛止部（２）を鴨居から外してしまう作用を防ぐことができる。
【図面の簡単な説明】
【０００７】
【図１】  本考案の正面図である。
【図２】  本考案の鴨居への掛止の状態を示した正面図である。
【符号の説明】
【０００８】１  物掛け部
２  掛止部
【図１】
0003167484.tif 000003
【図２】
0003167484.tif 000004
(57)【要約】      （修正有）【課題】ドアを開放状態に維持すると共に、ドアを閉めるとき柱との間での指詰事故を防止する防止具を提供する。【解決手段】指詰防止具は、ドアの縁と柱との間に挿入してドアを開放させておくクサビ１と、そのクサビ１と一体化されたベルト２と、そのベルト２をドア又は柱につなぎ止めておく連結具３とから構成される。クサビ１は、合成樹脂等の軟質材で形成し、その背側に布や合成繊維でできたベルト２を取り付ける。また、連結具３は、自動車のシートベルトのバックルと同じもので、ベルト２の両端には、連結金具３１を取り付け、ドア又は柱には、その連結金具３１を固定する固定具３２を取り付ける。また、この固定具３２の裏面には、粘着材３３を貼り付け、それでドア又は柱の任意の個所に取り付ける。【選択図】図１
0003167477.tif 000002
【実用新案登録請求の範囲】
【請求項１】
蝶番が取り付けられたドアの縁とその蝶番が固定された柱との間に挿入してドアを開放させておくクサビと、そのクサビに取り付けられたベルトと、そのベルトをドア又は柱につなぎ止めておく連結具とを備えたことを特徴とする指詰防止具。
【考案の詳細な説明】
【技術分野】
【０００１】  この考案は、開き戸による指詰事故を防止する指詰防止具に関する。
【背景技術】
【０００２】  開き戸を開けたままにしておくストッパには、種々のものがあるが、何れも簡単に外れてしまうため、ドアが閉まるときに、指詰等の思わぬ事故を起すことがある。特に、小さい子供がいる家庭では、このような指詰事故を防止することが、重大な課題となっている。
【考案の概要】
【考案が解決しようとする課題】
【０００３】  この考案は、そうした事故を防止する防止具を提供することを課題とする。
【課題を解決するための手段】
【０００４】  この考案に係る指詰防止具は、上記課題を解決するために、蝶番が取り付けられたドアの縁とその蝶番が固定された柱との間に挿入してドアを開放させておくクサビと、そのクサビに取り付けられたベルトと、そのベルトをドア又は柱につなぎ止めておく連結具とを備えたことを特徴とする。
【考案の効果】
【０００５】  この考案によれば、開いたドアと柱との間に挿入されたクサビが、ドアを開いたままにしておくので、子供の力では、クサビを引き抜くことはできないし、また、ドアが押されてクサビが緩んでも、クサビは、ドアにつなぎ止められているので、抜け落ちることもない。したがって、ドアが閉まるときの指詰事故を防止することができる。
【図面の簡単な説明】
【０００６】
【図１】この考案にかかる指詰防止具の一例を示す外観斜視図
【図２】上記実施例の使用例を示す一部断面図
【考案を実施するための形態】
【０００７】  以下、この考案の一実施例を図面に基づいて説明する。
【０００８】  図１は、指詰防止具の外観斜視を示し、図２は、その使用例を示す。これらの図において、指詰防止具は、ドアＤの縁と柱Ｂとの間に挿入してドアＤを開放させておくクサビ１と、そのクサビ１と一体化されたベルト２と、そのベルト２をドアＤ又は柱Ｂにつなぎ止めておく連結具３とから構成される。
クサビ１は、天然ゴム、合成ゴム、合成樹脂等の材質で形成され、その背側に布や合成繊維でできたベルト２が取り付けられる。
また、連結具３は、自動車のシートベルトのバックルと同じもので、ベルト２の両端には、連結金具３１が取り付けられ、ドアＤ又は柱Ｂには、その連結金具３１を固定する固定具３２が取り付けられる。また、この固定具３２の裏面には、粘着材３３が貼り付けられ、それでドアＤ又は柱Ｂの任意の個所に取り付ける。
なお、この連結具は、バッグ等に使用される合成樹脂でできた簡易なバックルであっても良いし、面ファスナーであっても良い。
【０００９】  クサビ１を使用するときは、ドアＤを開け、それをドアＤと柱Ｂとの間に差し込んで、ベルト２の両端を連結具３に連結する。これにより、ドアＤが押されてクサビ１が緩んでも、クサビ１は抜け落ちない。
また、ドアＤを閉めるときは、ベルト２の一端を一方の連結具３から外してからドアＤを押すと、クサビ１が緩むからそれを抜いて、ドアＤを閉める。
その際、ベルト２の一端を連結具３につないだままにしておくと、クサビ１を使用しないときに、それをドアＤや柱Ｂからぶら下げておくことができる。
【符号の説明】
【００１０】１      クサビ
２      ベルト
３      連結具
Ｄ      ドア
Ｂ      柱
【図１】
0003167477.tif 000003
【図２】
0003167477.tif 000004
(57)【要約】      （修正有）【課題】壁掛けエアコンからの放出熱の集熱を促進するエアコン集熱ホッパーを提供する。【解決手段】小屋裏に壁掛けエアコン１を設置して、水平プレート２の下部から冷気や暖気を送風機４でダクト５を用い、住宅内を空気循環させながら輻射熱で住宅内の暖冷房を行い、壁掛けエアコン１からの放出熱７の集熱を促進するため、壁掛けエアコン１の手前に、下部の底板６を長くした漏斗形状のホッパー３を取付けた。【選択図】図１
0003167474.tif 000002
【実用新案登録請求の範囲】
【請求項１】
小屋裏に壁掛けエアコン▲１▼を設置して、水平プレート▲２▼の下部から冷気や暖気を送風機▲４▼でダクト▲５▼を用い、住宅内を空気循環させながら輻射熱で住宅内の暖冷房を行う方法において、壁掛けエアコン▲１▼からの放出熱の集熱を促進するため、壁掛けエアコン▲１▼の手前に、下部の底板▲６▼を長くした漏斗形状のホッパー▲３▼を取付けたエアコン集熱ホッパー。
【考案の詳細な説明】
【技術分野】
【０００１】  狭い空間での壁掛けエアコンにおけるショートサーキット現象を防止する技術において、エアコンからの放出熱の集熱を促進する技術に関するものである。
【背景技術】
【０００２】  壁掛けエアコンを住宅の小屋裏に設置し、ショートサーキット現象を防止することで、壁掛けエアコンの持つ能力を十分に引き出し、住宅内を輻射熱によって冷暖房する技術があるが、設置する送風機の吸込み形状や大きさによってはエアコンの放出熱を集めきれない場合がある。
【先行技術文献】
【特許文献】
【０００３】
【特許文献１】特願２０１０−１９２８８１
【考案の概要】
【考案が解決しようとする課題】
【０００４】  本考案が解決しようとする点は、小屋裏に設置した壁掛けエアコンから吹出される放出熱を、効率的に集熱する点である。
【課題を解決するための手段】
【０００５】  壁掛けエアコン▲１▼の手前に、下部の底板▲６▼を長くした漏斗形状のホッパー▲３▼を取付け、壁掛けエアコン▲１▼からの放出熱を無駄なく集熱する事を手段とする。
【考案の効果】
【０００６】  下部の底板▲６▼を長くした漏斗形状にすることによって、下部の底板▲６▼を上部と同一長さにした場合の面で吸込む場合に比べて、ホッパー外に放出熱が漏れることを抑え、効果的に集熱することができる。
【図面の簡単な説明】
【０００７】
【図１】本考案の断面図。
【図２】本考案の平面図。
【図３】本考案の実施例の図。
【考案を実施するための形態】
【０００８】  壁掛けエアコン▲１▼の手前に、下部の底板▲６▼を長くした漏斗形状のホッパー▲３▼を取付ける形態とする。
【実施例１】
【０００９】  冷房時に壁掛けエアコン▲１▼の冷風がホッパー▲３▼上部を通り抜けるような形状・設置とし、冷房時には小屋裏を均一に冷やせるようにした本考案の実施例。
【産業上の利用可能性】
【００１０】  小屋裏に設置した壁掛けエアコンの放出熱を効率的に集熱する事で、エアコンの放出熱エネルギーを無駄なく住宅の暖房に活かすことが可能となる。
【符号の説明】
【００１１】  ▲１▼壁掛けエアコン
▲２▼水平プレート
▲３▼集熱ホッパー
▲４▼送風機
▲５▼ダクト
▲６▼底板
▲７▼放出熱
▲８▼エアコン温風
▲９▼エアコン冷風
【図１】
0003167474.tif 000003
【図２】
0003167474.tif 000004
【図３】
0003167474.tif 000005
【手続補正書】
【提出日】平成23年2月2日(2011.2.2)
【手続補正１】
【補正対象書類名】実用新案登録請求の範囲
【補正対象項目名】全文
【補正方法】変更
【補正の内容】
【実用新案登録請求の範囲】
【請求項１】
下部の底板を長くした漏斗形状のエアコン集熱ホッパー。
(57)【要約】      （修正有）【課題】配管作業に於いて、配管支持部に、管をＵ字ボルトで固定するときに、その固定強度を増加させて配管構造の変形を防ぐ事を可とする配管支持の補強材を提供する。【解決手段】配管支持材４に管３をＵ字ボルト２を使用して固定するとき、配管３の外径と同一半径の配管受面を有した補強材１を挟み込んで固定部全体の強度を増加させる。これにより、Ｕ字ボルトのナットの締め付けトルクを増加させる事が出来て、配管支持部の管固定強度を増加させる事が出来る。【選択図】図２
0003167471.tif 000002
【実用新案登録請求の範囲】
【請求項１】
配管作業において、Ｕ字ボルトを使用して管を支持するときに、管と支持材との間に挟み込むことに依って、Ｕ字ボルトの管固定強度を増加させることが出来る補助材。
【考案の詳細な説明】
【技術分野】
【０００１】  本考案は配管作業において、Ｕ字ボルトを使用して管を固定するときの補強材である。
【技術背景】
【０００２】  従来からの工法として、山形鋼などの配管支持材にＵ字ボルトを使って管を固定しようとする場合、配管支持材に変形の恐れがある場合はＵ字ボルトを十分な強さで締め付ける事ができない。またこの工法における配管支持材と管との接触面積は少ない。以上の理由によりこの工法による配管支持部の管固定強度には限界がある。従って自重や外力による配管組立構造の変形や、またその事による配管破損、漏れ事故等を起こす難点がみられる。
【先行技術文献】
【特許文献】
【０００３】
【考案の概要】
【考案が解決しようとする課題】
【０００４】  本考案は、本考案を用いる事によりＵ字ボルトによる管の締め付け固定強度を増して、配管組立構造の変形を防ごうとするものである。
【課題を解決するための手段】
【０００５】  配管支持材と管との間に本考案を挟みＵ字ボルトで締め付けるようにすれば配管支持材が変形する恐れがなくなる。従ってＵ字ボルトの締め付け強さを加減しなくても良くなる。また本考案を挟むことにより配管支持材と管との接触面積が増える。
【考案の効果】
【０００６】  本考案を使用して配管支持部の強度を増す事が出来れば、配管組立構造の変形に依る配管破損、漏れ事故を防ぐことができる。とくに近年多く使用されている配管指示用穴付きアングルの強度不足を補うための補助材として効果的である。
【考案を実施するための形態】
【０００７】  以下、本考案の補強材１を、図面に示す使用例に基ずいて具体的に説明する。
【０００８】  図２は使用例であり、管３を配管支持材４にＵ字ボルト２を使用して固定するときに図のように、本考案である補強材１を挟み込み、Ｕ字ボルトを締める。
【図面の簡単な説明】
【０００９】
【図１】  本考案の斜視図である。
【図２】  本考案の使用例である。
【符号の説明】
【００１０】  １・・・・・・  本考案である補強材
２・・・・・・  Ｕ字ボルト
３・・・・・・  管
４・・・・・・  配管支持材
５・・・・・・  従来の工法
【図１】
0003167471.tif 000003
【図２】
0003167471.tif 000004
【手続補正書】
【提出日】平成23年2月2日(2011.2.2)
【手続補正１】
【補正対象書類名】実用新案登録請求の範囲
【補正対象項目名】全文
【補正方法】変更
【補正の内容】
【実用新案登録請求の範囲】
【請求項１】
コ形材の、相対する２面に、管３を受けるための切り込みを設け、他の１面の両端にＵ字ボルト２を通過させるための切込みを設けて、配管支持材４に、Ｕ字ボルト２を使用して、管３を固定するときに使用出来る様な形状にした配管材料。
(57)【要約】      （修正有）【課題】主軸点と変心点の間隔が短く、ペタルクランクを踏み回すことが軽く、楽な油圧回転ポンプつき自転車を提供する。【解決手段】自転車の運転につき両ペタルクランクを踏み出し、油圧回転ポンプの中では変心クランク２により回転ピストン３を回わされ、三つ葉のクロウバー型のシリンダー５で吸油、圧縮、送出しをくり返し圧油は回転装置の羽根車９から軸を回し、取り付けてある、前ギヤ、チェン、ハブギヤと伝わり、連続でくり返し軽い力で運転することが出来る。油はオイルタンクから往き、パイプを通り戻り、パイプで又オイルタンクへと循環する油圧回転ポンプつき自転車である。【選択図】図１
0003167458.tif 000002
【実用新案登録請求の範囲】
【請求項１】
自転車のフレーム部、立ちパイプ（１８）の下方に油圧回転ポンプ（７）と油圧による回転装置（１１）を取り付け、油圧回転ポンプの主軸（１）両端にはペタルクランク（３２）を、回転装置の軸（８）を進行方向右側に、前ギヤ（２９）を付け、チェーンによりハブギヤを廻し後輪を回転させるを、特徴の油圧回転ポンプつき自転車。
【考案の詳細な説明】
【技術分野】
【０００１】  この実用新案登録は、自転車のフレームに油圧回転ポンプと回転装置をとりつけたもので、運転時にはペタルクランクを踏み回転ピストンにより吸い込み、油圧を回転装置の前ギヤから後輪に伝えるを特徴とする油圧回転ポンプつき自転車である。
【背景技術】
【０００２】  従来の段つきギヤの自転車でも足腰えの負担があった。
【実用新案登録の開示】
【実用新案登録が解決しようとする課題】
【０００３】  これは次の欠点があった。
従来、向かい風の日、昇り坂、長距離運転など、本実用新案登録は以上の欠点をなくすためになされたものである。
【課題を解決するための手段】
【０００４】  自転車のフレーム立ちパイプ（１８）の下部に油圧回転ポンプ（７）と回転装置（１１）組み主軸（１）にペタルクランク（３２）を踏み回し、前ギヤ（２３）からチェン（３０）、ハブギヤ（３１）を伝わり後輪を回す。
本実用新案登録は、以上の構成によりなるを特徴とする油圧回転ポンプつき自転車である。
【実用新案登録の効果】
【０００５】  主軸点と変心点の間隔が短くペタルクランクを踏み回すことが、軽く、楽くな油圧回転ポンプつき自転車
【実用新案登録を実施するための最良の形態】
【０００６】  以下  本実用新案登録を実施するための形態について説明する。自転車を運転始めると、ペタルクランク（３２）を踏み回すと油圧回転ポンプのピストン（３）が回り出し、油の吸い込み、圧縮、吐き出し、くり返し油はオイルタンク（２８）から送りパイプ（２６）取り入口（１３）からポンプ中に入り圧縮された油は吐き出し導き溝（１６）カラ連結パイプ（２５）より回転装置の羽根車（９）上下から回わし、吐き出し口（１２）より戻りパイプ（２７）を通りオイルタンクに入り、繰り返す。羽根車の軸右側に前ギア（２９）を取りつけチェーン（３０）、バブギヤ（３１）と伝わり後輪を回わす。ペタルクランクが非常に軽いを特徴とする油圧回転ポンプつき自転車である。
本実用新案登録は以上のような構造である。
【図面の簡単な説明】
【０００７】
【図１】本実用新案登録の両軸受をはずした正面図である。
【図２】本実用新案登録の両軸受をはずした背面図である。
【図３】本実用新案登録の正面図である。
【図４】本実用新案登録の平面図である。
【図５】本実用新案登録のＡ−Ａ断面図である。
【図６】本実用新案登録の油圧回転ポンプつき自転車図である。
【符号の説明】
【０００８】  １  主軸  ペタルクランク取り付け
２  変心クランク
３  回転ピストン
４  密着装置
５  シリンダー室
６  吸い込み油導き溝
７  油圧回転ポンプ体
８  羽根車の軸、右側前ギヤ取り付け
９  羽根車
１０  圧油導き溝
１１  回転装置体
１２  戻り油口
１３  吸い込み油口
１４  ヘッド  へ
１５  フレーム取付け金具
１６  圧油導き溝
１７  終油導き溝
１８  立ちパイプ、サドル  へ
１９  チェンステー、ハブギヤ  へ
２０  パッキン紐入れネジ
２１  軸受
２２  吸い込み油
２３  圧油
２４  終油
２５  連結パイプ
２６  往き油パイプ
２７  戻り油パイプ
２８  オイルタンク
２９  前ギヤ
３０  チェン
３１  ハブギヤ
３２  ペタルクランク
３３  ネジぶた
【図１】
0003167458.tif 000003
【図２】
0003167458.tif 000004
【図３】
0003167458.tif 000005
【図４】
0003167458.tif 000006
【図５】
0003167458.tif 000007
【図６】
0003167458.tif 000008
【手続補正書】
【提出日】平成22年9月21日(2010.9.21)
【手続補正１】
【補正対象書類名】実用新案登録請求の範囲
【補正対象項目名】請求項１
【補正方法】変更
【補正の内容】
【請求項１】
自転車のフレームの一部に、立ちパイプ（１８）の立ちあがり部が溶接されており、その下の部分に油圧回転ポンプ（７）と回転装置（１１）を一体化して、フレームに取りつけた、油圧回転ポンプつき自転車。
【手続補正書】
【提出日】平成22年11月29日(2010.11.29)
【手続補正１】
【補正対象書類名】実用新案登録請求の範囲
【補正対象項目名】全文
【補正方法】変更
【補正の内容】
【実用新案登録請求の範囲】
【請求項１】
油圧回転ポンプは円盤を三つ葉のクローバー型に抜き、山型の三箇所に吸い込み、圧油出しの孔を明け円盤の両面に吸い込み導き溝、油圧導き溝を設けたシリンダー内で、四角型のピストンを変心クランクで回わす構造。
回転装置は円盤に円い穴を抜き、羽根車を入れ圧油の流れにより、回転させる水車の構造と同じで、両面に油圧導き溝、終油溝を設け、油圧回転ポンプと合せて一体化するため凸の取りつけ部、ネジ孔、連結パイプをつけ両軸の力を緩和し、フレームの取りつけを安定させる。
自転車のフレームの一部にサドルがついている立パイプの根元、その下部に油圧回転ポンプと回転装置を一体化して、フレームに取りつけた、油圧回転ポンプつき自転車。
【手続補正書】
【提出日】平成23年1月27日(2011.1.27)
【手続補正１】
【補正対象書類名】実用新案登録請求の範囲
【補正対象項目名】全文
【補正方法】変更
【補正の内容】
【実用新案登録請求の範囲】
【請求項１】
油圧回転ポンプは円盤を三つ葉のクローバー型に抜き、山型の三箇所に吸い込み油口、圧油出しの孔を明け円盤の両面に吸い込み油導き溝、圧油導き溝を設けたシリンダー内で、四角型のピストンを変心クランクで回わす構造であり、回転装置は円盤に円い穴を抜き、羽根車を入れ圧油の流れにより、回転させる水車の構造と同じで、両面に圧油導き溝、終油導き溝を設け、油圧回転ポンプと合せて一体化するため凸の取りつけ部、ネジ孔、連結パイプをつけ両軸の力を緩和し、フレームの取りつけを安定させたものである、
自転車のフレームの一部にサドルがついている立パイプの根元の下部に、油圧回転ポンプと回転装置を一体化してフレームに取りつけた、油圧回転ポンプつき自転車。
(57)【要約】      （修正有）【課題】通信機器に使用する、マグネチック型イヤホーンをマイクロホンとして使用できることで、送話と受話に利用できるイヤホーンマイクイロホンを提供する。【解決手段】通信機器に使用するマグネチック型イヤホーンをマイクロホンとしても使用できる。送話と受話に使用できるようにするため、咽頭口からの音声振動が鼓膜を通過し外耳道に入る、耳栓で音声振動の漏れを防ぐために、耳の外耳道に深く入る為長くする、又密着性とバネ性のあるプラスチックス等適宣素材にて一体形成された耳栓１、この耳栓を利用することで、マグネチック型イヤホーンをマイクロホンとして使用するができるため、送話と受話に利用できる。マグネチック型イヤホーンマイクロホンのケース２、マグネチック型イヤホーンマイクロホンの電気信号を音に変換するための振動板３、マグネチック型イヤホーンマイクロホンの電気信号用コイル４、マグネチック型イヤホーンマイクロホンのマグネット５、振動板保持具６から構成されている。【選択図】図１
0003167455.tif 000002
【実用新案登録請求の範囲】
【請求項１】
通信機器に使用する、マグネチック型イヤホーンをマイクロホンとして使用し、送話と受話が出来るようにために、耳栓と耳の外耳道との間の音声信号の空気もれを無くすために、外耳道に深く入るようにするために長くする、又蜜着性とバネ性のあるプラスチックで一体形成した耳栓を使用し鼓膜からの音声信号をマイクロホンとして使用できることで、送話と受話に使用できる、マグネチック型イヤホーンマイクロホン。
【考案の詳細な説明】
【技術分野】
【０００１】
本考案は送話受話用マグネチック型イヤホーンをマイクロホンとしての利用する。
【背景技術】
【０００２】
通信機器に利用する、送話受話用マグネチック型イヤホーンをマイクロホンとしての利用する
【考案の開示】
【考案が解決しようとする課題】
【０００３】
本考案は通信機器に利用する、マグネチック型イヤホーンで送話受話の出きることを解決しようとすることを課題する。
【課題を解決するための手段】
【０００４】
本考案はマグネチック型イヤホーンをマイクロホンとして利用し、通信機器に使用する、送話受話に利用することが出きることを、解決しようとすることを課題する。
【考案の効果】
【０００５】
上述のように本考案のマグネチック型イヤホーンをマイクロホンとして使用し、通信機器に利用することで、送話受話に利用することが出きることを、考案の効果とする。
【考案を実施するための最良の形態】
【０００６】
上述のように本考案はマグネチック型イヤホーンをマイクロホンとして使用するために、咽頭口からの音声振動が鼓膜を通過し外耳道に入る、耳栓で音声振動の漏れを防ぐために、耳の外耳道に深く入る為長くする、又密着性とバネ性のあるプラスチックス等適宣素材にて一体形成された耳栓を使用することで、実施するための最良の形態とする。
【実施例】
【０００７】
図面に従って、以下添付実施例を説明する、１はマグネチック型イヤホーンマイクロホンの耳栓で外耳道に密着させる為、外耳道に深く入る為長くする、又密着性とバネ性のあるプラスチックス等適宣素材にて一体形成された耳栓、２はマグネチック型イヤホーンマイクロホンのケース、３はマグネチック型イヤホーンマイクロホンの電気信号を音に変換するための振動板、
【０００８】
４はマグネチック型イヤホーンマイクロホンの電気信号用コイル、５はマグネチック型イヤホーンマイクロホンのマグネット６は３振動板の保持具
【図面の簡単な説明】
【０００９】
【図１】耳栓付マグネチック型イヤホーンマイクロホン正面図
【図２】耳栓付マグネチック型イヤホーンマイクロホン上面図
【符号の説明】
【００１０】
１    耳栓
２    ケース
３    振動板
４    コイル
５    マグネット
６    振動板保持具
７     送話受話用リード線
【図１】
0003167455.tif 000003
【図２】
0003167455.tif 000004
【手続補正書】
【提出日】平成22年6月15日(2010.6.15)
【手続補正１】
【補正対象書類名】実用新案登録請求の範囲
【補正対象項目名】全文
【補正方法】変更
【補正の内容】
【実用新案登録請求の範囲】
【請求項１】
通信機器に使用する、マグネチック型イヤホーンはマグネツトとコイルと振動板で構成されている、コイルに受話音声信号入力すると振動板が振動し、受話音声信号を空気振動に変えることで受話を聞ける、マグネチック型イヤホーンをマイクロホンと使用するためには、コイルに送話音声信号を出力する方法として、医学的に音声は耳管を通過し鼓膜を振動させることで声がきこえる、その鼓膜の振動を外耳道を通過し、振動板が振動し音声信号がコイルに、送話音声信号が出力される、外耳道と振動板との間の音声の空気漏れを無くすために、外耳道に深く入るようにするために耳栓を樽型にし長くする、また密着性とバネ性のあるプラスチックで一体形成した耳栓有することを特徴とするマグネチック型イヤホーンマイクロホン。
【手続補正書】
【提出日】平成22年10月12日(2010.10.12)
【手続補正１】
【補正対象書類名】実用新案登録請求の範囲
【補正対象項目名】全文
【補正方法】変更
【補正の内容】
【実用新案登録請求の範囲】
【請求項１】
外耳道に密着可能な樽型の耳栓と耳栓に導通したマグネチック型イヤホーンから構成され、該マグネチック型イヤホーンが外部接続された通信機器に接続され、外部からの音に対してはイヤホーンとして、自分の発音した音声は耳管を通じて鼓膜が振動した音をとらえるマイクロホンとして作動する構造であることを特徴とする耳栓付マグネチック型イヤホーンマイクロホン。
【手続補正書】
【提出日】平成22年11月30日(2010.11.30)
【手続補正１】
【補正対象書類名】実用新案登録請求の範囲
【補正対象項目名】全文
【補正方法】変更
【補正の内容】
【実用新案登録請求の範囲】
【請求項１】
外耳道に密着可能な樽型の耳栓と耳栓に導通したマグネチック型イヤホーンから構成され、該マグネチック型イヤホーンは外部接続された通信機器に接続され、外部からの音に対してはイヤホーンとして、自分の発音した音声は耳管を通じて音をとらえるマイクロホンとして作動することを特徴とする耳栓付きマグネチック型イヤホーンマイクロホン。
【手続補正書】
【提出日】平成23年2月22日(2011.2.22)
【手続補正１】
【補正対象書類名】実用新案登録請求の範囲
【補正対象項目名】全文
【補正方法】変更
【補正の内容】
【実用新案登録請求の範囲】
【請求項１】
外耳道に密着可能な樽型の耳栓と耳栓に導通したイヤホーンから構成され、該イヤホーンは振動板とコイル・マグネット・振動板保持具・ケースから構成され、外部接続された通信機器に対し、外部からの音及び耳管を通じて自分の発音した音声をとらえるマイクロホンとして作動することを特徴とする耳栓付きマグネチック型イヤホーンマイクロホン。
(57)【要約】      （修正有）【課題】緑化機能を持つことにより、二酸化炭素の削減機能を有する防音パネルを提供する。【解決手段】ポリエステル繊維吸音材５に加えて保水シート４と飛散防止用ネット２の間に苔３を育成させたものを、亜鉛鉄板で箱状にした防音パネル６内に設置し、保護用ステンレスメッシュ１で固定して苔吸音緑化防音パネルを構成する。該パネルを施工することによって、防音パネルと壁面緑化パネルを同時に施工することができるので、二酸化炭素の削減機能をもつことが出来る。【選択図】図１
0003167454.tif 000002
【実用新案登録請求の範囲】
【請求項１】
苔を吸音材の一部として用いた緑化防音パネル。
【考案の詳細な説明】
【技術分野】
【０００１】
本考案は、ポリエステル繊維吸音材（５）と保水シート（４）と飛散防止用ネット（２）の間に苔（３）を育成させてものを亜鉛鉄板で箱状にした防音パネル（６）内に設置し、保護用ステンレスメッシュ（１）で固定したものである。
【考案の開示】
【考案が解決しようとする課題】
【０００２】
従来の防音パネルには、緑化機能を持つものはなかったので二酸化炭素の削減機能はなかった。防音機能と緑化機能を持つパネルがなかったので、防音パネルと壁面緑化パネルを同時に施工することができなかった。
【課題を解決するための手段】
【０００３】
本考案の緑化防音パネルは、ポリエステル繊維吸音材（５）と保水シート（４）と苔（３）を吸音材として併用したパネルで、防音壁を施工すると同時に壁面緑化も施工することが可能となり、二酸化炭素の削減機能をもつことができる。
【図面の簡単な説明】
【０００４】
【図１】本考案の断面図
【図２】本考案の正面図
【符号の説明】
【０００５】
（１）保護用ステンレスメッシュ
（２）飛散防止用ネット
（３）苔
（４）保水シート
（５）ポリエステル繊維吸音材
（６）防音パネル
【図１】
0003167454.tif 000003
【図２】
0003167454.tif 000004
【手続補正書】
【提出日】平成22年6月22日(2010.6.22)
【手続補正１】
【補正対象書類名】実用新案登録請求の範囲
【補正対象項目名】全文
【補正方法】変更
【補正の内容】
【実用新案登録請求の範囲】
【請求項１】
保水シート（４）に育成した苔を飛散防止ネット（２）で固定したものを、プラスチックボード（５）に接着した苔パネル（６）を防音パネル（１）の背面に装着することによって、従来、音を反射していた背面が、苔パネル（６）を吸音材としての効果により、音の反射を柔らげる防音性能をもつことができる。又、同時に苔パネル（６）を装着することにより、緑化性能も合わせもつことが可能となる緑化防音パネル。
【手続補正書】
【提出日】平成22年11月12日(2010.11.12)
【手続補正１】
【補正対象書類名】実用新案登録請求の範囲
【補正対象項目名】全文
【補正方法】変更
【補正の内容】
【実用新案登録請求の範囲】
【請求項１】
苔を吸音材の一部として用いた緑化防音パネル。
【手続補正書】
【提出日】平成23年2月10日(2011.2.10)
【手続補正１】
【補正対象書類名】実用新案登録請求の範囲
【補正対象項目名】全文
【補正方法】変更
【補正の内容】
【実用新案登録請求の範囲】
【請求項１】
亜鉛鉄板で箱状にした防音パネル内に、ポリエステル繊維吸音材、保水シート、
苔、飛散防止用ネットを、この順で設置し、保護用ステンレスメッシュで固定した
ことを特徴とする苔吸音緑化防音パネル。
(57)【要約】      （修正有）【課題】必要に応じて捲り起こすことが繰り返し出来る学習隠蔽テープを提供する。【解決手段】テープの全体に接着材を施さず、隠蔽する部分を除いた部分のみに接着材を施す。【選択図】図１
0003167421.tif 000002
【実用新案登録請求の範囲】
【請求項１】
文字又は図を一時的に隠すために貼り付けるテープで全面に接着材が付いておらず、テープの一部に付いていることで剥がさなくても捲り起こすことで、隠した部分が確認でき繰り返すことで学習できるテープ。
【請求項２】
接着する部分が狭いときは、接着材の付く部分を透明とし、不透明の部分は文字サイズとし表側は加筆できる請求項1の学習隠蔽テープ。
【請求項３】
テープはロール状または帯状で必要の長さでカットして使用する 請求項1の学習隠蔽テープ。
【考案の詳細な説明】
【技術分野】
【０００１】
本考案は、教科書等の文字、形の記憶、暗記を目的にするものである。
【背景技術】
【０００２】
学習用隠蔽テープにおいて、テープ自体は電気絶縁粘着テープ、特開１０−１２０９９９号が広報で公知それている。またマーキングテープを用いた暗記用学習補助器が公知され、特開平１０−２７４９２３号がある。他に学習用隠蔽器具には、特開２００６−０５３３５４号、さらに学習用具として、特開平０９−１７９４８３号があり、学習具としては、特開２０１０−２０８２５４号も公知となっている。
【先行技術文献】
【特許文献】
【０００３】
【特許文献１】特開平１０−１２０９９９号
【特許文献２】特開平１０−２７４９２３号
【特許文献３】特開２００６−０５３３５４号.
【特許文献４】特開平０９−１７９４８３号
【特許文献５】特開２０１０−２０８２５４号
【考案の概要】
【考案が解決しようとする課題】
【０００４】
しかしながら、電気絶縁テープては部分的に捲ることが容易にできずにマーキングテープを用いた暗記用学習補助器具では、サインペンと着色チェクシートが必要になり、学習用隠蔽器具では転写テープと転写具がセットで必要になる。また学習用具は使用が複雑で、学習具は着色透明シートが必要になり他の部分までが見えにくくなる。
【課題を解決するための手段】
【０００５】
そこで、本考案は以上の課題を解決すべく、テープの全面を接着させず接着する部分と不接着と分け捲くれる部分のあるテープを提供することを目的した。
【０００６】
本考案は、学習したい部分のみ隠蔽したいので接着部分が少ないときは、不透明とし不透明部分は文字の大きさ、長さに対応できる物とする。
【０００７】
テープは文章、図の長さに合わせてカットし貼りつけペン先等で捲り起こして確認するので一度貼り付けてしまえば特別な付属物は不要である。また不要になったときは台紙を傷めずに剥ぎとれることはもちろんである。
【０００８】
本考案に係る学習用隠蔽テープの色は白色に限ったものではない。
【考案の効果】
【０００９】
本考案に係る学習用隠蔽テープによれば、的確に隠蔽出来て簡単に捲り起こすことが繰り返しできる。
【図面の簡単な説明】
【００１０】
【図１】貼り付けられた学習隠蔽テープの使用例である。
【図２】学習隠蔽テープのカット前の平面図である。
【図３】ロール状学習隠蔽テープを引伸ばした図である。
【図４】本考案に係る学習隠蔽テープのａ−ａ 断面で台紙の上に貼られた部分を示す。
【考案を実施するための形態】
【００１１】
以下に、本考案に係る学習隠蔽テープの実施例を図１乃到図4に基ずいて説明する。図1は本考案した学習隠蔽テープを貼った状態とその拡大図である。図2は帯状のテープで3の斜線部は接着材の付く側を示し、4は接着材の無い部分で不透明の部分を示す。図4はテープが貼り付いた状態から捲り起こした状態を示す。
【符号の説明】
【００１２】
1  学習隠蔽テープを文字の上に貼り付けた状態である。
2  学習隠蔽テープの斜線の部分は接着材の付いている部分を示す。
３  学習隠蔽テープの接着材の付いていない部分で不透明の部分を示す。
4  固定側で接着の付いていない面。
5  教科書または隠蔽される側
【図１】
0003167421.tif 000003
【図２】
0003167421.tif 000004
【図３】
0003167421.tif 000005
【図４】
0003167421.tif 000006
(57)【要約】      （修正有）【課題】従来の二重遮断弁構造における漏洩の可能性を低減させ、部品点数が増加せず、その部品管理も容易な遮断便弁の漏洩防止構造を提供する。【解決手段】管路に直列にして配設される第１遮断弁２と第２遮断弁３とにおいて、前記それぞれの遮断弁の弁体を流路に沿って二重弁体２ｂ，２ｃ，３ｂ，３ｃとし、全体として四重弁体を具備してなる遮断弁の漏洩防止構造とするものである。【選択図】図１
0003167428.tif 000002
【実用新案登録請求の範囲】
【請求項１】
管路に直列にして配設される第１遮断弁と第２遮断弁とにおいて、
前記それぞれの遮断弁の弁体を流路に沿って二重弁体とし、全体として四重弁体を具備してなること、
を特徴とする遮断弁の漏洩防止構造。
【請求項２】
各二重弁体は、それぞれ一体成形されてなること、
を特徴とする請求項１に記載の遮断弁の漏洩防止構造。
【考案の詳細な説明】
【技術分野】
【０００１】
本考案は、遮断弁の漏洩防止構造に関するものである。
【背景技術】
【０００２】
従来、例えば、ガス配管に使用される二重遮断弁の漏洩防止構造は、図２に示すように、第１遮断弁１１と第２遮断弁１２とを直列に配置したものが知られている（特許文献１、２参照）。前記遮断弁１１，１２は、ソレノイド１１ａ，１２ａと弁体１１ｂ，１２ｂ
との組み合わせでなるものである。ガスは、図２の左側から供給され、右側へと配給される。途中の弁室１３から図視下ａ方向にガスの一部が導出されて漏洩検出装置（図示せず）へ供給される。
【先行技術文献】
【特許文献】
【０００３】
【特許文献１】特開平０２−９１９３２号公報
【特許文献２】特開２００６−１７６５７号公報
【考案の概要】
【考案が解決しようとする課題】
【０００４】
しかし、従来の二重遮断弁の漏洩防止構造は、例えば、前記第２遮断弁１２が先に漏洩又は故障し、その後に、前記第１遮断弁１１が漏洩又は故障した場合には、漏洩検出装置でガス漏れを検出して緊急停止信号等を施しても、前記第２遮断弁１２のアウト側にガスが漏洩してしまう、という課題がある。本考案に係る遮断弁の漏洩防止構造は、このような課題を解決するために提案されたものである。
【課題を解決するための手段】
【０００５】
本考案に係る遮断弁の漏洩防止構造の上記課題を解決して目的を達成するための要旨は、管路に直列にして配設される第１遮断弁と第２遮断弁とにおいて、前記それぞれの遮断弁の弁体を流路に沿って二重弁体とし、全体として四重弁体を具備してなることである。
また、前記各二重弁体は、それぞれ一体成形されてなることを含むものである。
【考案の効果】
【０００６】
本考案の遮断弁の漏洩防止構造によれば、管路に直列に四重に遮断弁を設けたことになるので、漏洩のおそれが低減されるものである。また、第１遮断弁と第２遮断弁とにおける二重弁体を、一体成形するので部品点数が増加せず、その部品管理も容易となる。
【図面の簡単な説明】
【０００７】
【図１】本考案に係る遮断弁の漏洩防止構造を示す縦断面図である。
【図２】従来例に係る遮断弁の漏洩防止構造を示す縦断面図である。
【考案を実施するための形態】
【０００８】
本考案に係る遮断弁の漏洩防止構造は、四重の遮断弁にするものである。
【実施例１】
【０００９】
本考案に係る遮断弁１の漏洩防止構造は、図１に示すように、ガス等の気体用の管路４において漏洩防止のために、当該管路４に直列にして配設される第１遮断弁２と第２遮断弁３とにおいて、前記それぞれの遮断弁２，３の弁体Ａ，Ｂを流路に沿って直列に配設した二重弁体２ｂ，２ｃ，３ｂ，３ｃに形成し、全体として直列に配列した四重弁体を具備してなることである。
【００１０】
また、前記各二重弁体２ｂ，２ｃと、二重弁体３ｂ，３ｃとは、それぞれ一体成形されてなることを含むものである。図１中の符号２ａ，３ａはソレノイドを示し、また、符号２ｄ，３ｄは、それぞれシール用のゴムパッキンを示している。
【００１１】
このように、二重弁体２ｂ，２ｃと二重弁体３ｂ，３ｃとを有する第１遮断弁２と第２遮断弁３とを、管路４に直列に配設することで、四重遮断弁となってガス漏洩のリスクを軽減できるものである。
【００１２】
なお、前記二重弁体２ｂ，２ｃおよび二重弁体３ｂ，３ｃを、Ｏリング式バルブの電磁弁にした場合で説明したが、これに限ることなく、パック式バルブ、ダイアフラム式バルブ、ベローバルブ等においても適用でき、開閉操作は、手動式であっても良く、そのほか、略９０度回転させて開閉するハンドル式弁体であっても良い。
【産業上の利用可能性】
【００１３】
本考案に係る遮断弁の漏洩防止構造は、気体用管路においてその安全性を高めるものに広く適用できるものである。
【符号の説明】
【００１４】
１          遮断弁の漏洩防止構造、
２          遮断弁、                  ２ａ        ソレノイド、
２ｂ，２ｃ   二重弁体、                    ２ｄ         ゴムパッキン、
３          遮断弁、                  ３ａ        ソレノイド、
３ｂ，３ｃ  二重弁体、                ３ｄ        ゴムパッキン、
４          管路、
１１        第１弁体、
１２        第２弁体、
１３        弁室。
【図１】
0003167428.tif 000003
【図２】
0003167428.tif 000004